(57)【要約】【課題】  全閉状態にあるシールド４を上昇させる操作が比較的簡単で構造も比較的簡単であるにもかかわらず、シールド４の上昇時に、シールド４や防曇用補助シールドが頭部保護体の窓孔用縁部材などに引っ掛かる恐れのない、ヘルメットのシールド取付け機構６を提供する。【解決手段】  頭部保護体に固定される固定側基材２１と、この固定側基材２１に対して前後進し得るように、固定側基材２１に取付けられている可動側基材２２と、可動側基材２２に回動可能に支持されるシールド４とを備えている。そして、全閉状態にあるシールド４にほぼ上昇方向への力が加わったときに、シールド４または固定側基材２１に設けられている少なくとも１個のカム用ならい部２８が、固定側基材２１またはシールド４に設けられている少なくとも１個のカム面１０４ａに相対的にならうことによって、上記シールド４がほぼ前方に往動する。【選択図】図９
2007332524.tif 000002
【特許請求の範囲】
【請求項１】
頭部保護体に取付けられるシールド取付け基材と、その左側または右側の端部付近が上記シールド取付け基材に回動可能に取付けられるシールドとを備えているヘルメットのシールド取付け機構において、
上記シールド取付け基材が、上記頭部保護体に固定される固定側基材と、この固定側基材に対して前後進可能に直線往復動し得るように、上記固定側基材に取付けられている可動側基材とを備え、
上記シールドが、上記可動側基材に回動可能に支持され、
少なくとも１個のカム面が、上記シールドまたは上記固定側基材に設けられ、
少なくとも１個のカム用ならい部が、上記少なくとも１個のカム面に当接し得るように、上記固定側基材または上記シールドに設けられ、
全閉状態にある上記シールドにほぼ上昇方向への力が加わったときに、上記カム用ならい部が上記カム面に相対的にならうことによって、上記シールドが上記可動側基材をともなってほぼ前方に往動するように構成されていることを特徴とするシールド取付け機構。
【請求項２】
上記少なくとも１個のカム面が１個であり、
上記少なくとも１個のカム用ならい部が１個であり、
上記カム面が上記シールドに設けられ、
上記カム用ならい部が上記固定側基材に設けられていることを特微とする請求項１に記載のシールド取付け機構。
【請求項３】
上記少なくとも１個のカム面が２個であり、
上記少なくとも１個のカム用ならい部が２個であり、
上記２個のカム面のうちの第１のカム面と、上記２個のカム用ならい部のうちの第２のカム用ならい部とが、上記シールドにそれぞれ設けられ、
上記２個のカム面のうちの第２のカム面と、上記２個のカム用ならい部のうちの第１のカム用ならい部とが、上記固定側基材にそれぞれ設けられていることを特徴とする請求項１に記載のシールド取付け機構。
【請求項４】
上記可動側基材を上記固定側基材に対してほぼ後方に向って弾性的に附勢することができる弾性附勢手段と、
上記固定側基材に設けられている少なくとも１個のストッパ部と、
上記可動側基材に設けられている少なくとも１個の被ストッパ部とをさらに備え、
上記可動側基材が上記弾性附勢手段によって弾性的に附勢されて復動位置に保持されているときには、上記少なくとも１個の被ストッパ部が上記少なくとも１個のストッパ部に当接していることを特徴とする請求項１〜３のうちのいずれか１つに記載のシールド取付け機構。
【請求項５】
上記シールドを上記可動側基材から取外すために操作されるシールド着脱用操作部材を、上記可動側基材に往復動可能に配設し、
上記シールドを全開状態まで往回動させてから上記シールド着脱用操作部材を往動させることによって、上記シールドの取外し可能状態が得られるように構成されていることを特徴とする請求項１〜４のうちのいずれか１つに記載のシールド取付け機構。
【請求項６】
上記シールドを全開状態まで往回動させたときには、上記被ストッパ部が上記ストッパ部に当接していることを特徴とする請求項４または５に記載のシールド取付け機構。
【請求項７】
上記シールドを微開状態にすることができるとともに上記シールドを全閉位置においてロック状態にもすることができる往復動可能なシールド微開用操作部材兼用のシールドロック用操作部材を、上記可動側基材に往復動可能に配設し、
上記シールド微開用操作部材兼用のシールドロック用操作部材を中立位置から第１の往動方向に往動させたときには、上記シールドを微開状態にすることができ、
上記シールド微開用操作部材兼用のシールドロック用操作部材を上記中立位置から第２の往動方向に往動させたときには、上記シールドをロック状態にすることができるように構成されていることを特徴とする請求項１〜６のうちのいずれか１つに記載のシールド取付け機構。
【発明の詳細な説明】
【技術分野】
【０００１】
本発明は、頭部保護体に取付けられるシールド取付け基材と、その左側または右側の端部付近が上記シールド取付け基材に回動可能に取付けられるシールドとを備えているヘルメットのシールド取付け機構に関するものである。
【背景技術】
【０００２】
フルフェイス型ヘルメットなどにおいては、本来のシールドに防曇用の補助シールドが取付けられることがある。なお、このような補助シールドは、本来のシールドに対して僅かな間隙を有するように、本来のシールドの内側面に着脱自在に取付けられる。したがって、このような防曇用補助シールドが本来のシールドに取付けられているヘルメットを使用する際に、本来のシールドがヘルメットの頭部保護体の左右両側の軸支部にその左右両側端部付近をそれぞれ単に軸支されているだけでは、つぎのような不都合が生じる。すなわち、左右両側の軸支部を回動中心として本来のシールドを上方に回動させたときに、防曇用補助シールドが、頭部保護体の窓孔に取付けられている窓孔用縁部材に引っ掛かってしまうことがあるから、本来のシールドおよび防曇用補助シールドの円滑な上昇が妨げられる。また、防曇用補助シールドが取付けられていない本来のシールドを上昇させるときにも、本来のシールドが窓孔用縁部材などに大なり小なり引っ掛かるために、本来のシールドの円滑な上昇が妨げられることもある。
【０００３】
一方、特許文献１には、全閉状態にあるシールド（すなわち、本来のシールド）をいったん前方に引き出してから上昇させるようにしたヘルメットのシールド取付け機構が開示されている。この場合、全閉状態にあるシールドは、頭部保護体に設けられているシールド収容用の凹み部に収容されているので、いったん前方に引き出さないと上昇させることができない。このために、特許文献１のシールド取付け機構においては、シールドをいったん前方に引き出してから上昇させるようにしているから、全閉状態にあるシールドの上昇時に、シールドは、窓孔用縁部材などに引っ掛からないで上昇することができる。
【特許文献１】特開２００３−１８３９２６号公報
【発明の開示】
【発明が解決しようとする課題】
【０００４】
しかし、上述のように構成された特許文献１のシールド取付け機構の場合には、シールドを上昇させるときに、ヘルメット装着者が指でシールドを掴んでから、この指を前方に動かしてこのシールドをいったん前方に引き出す操作を行った後に、この指を上方に動かしてシールドを上方に引き上げる操作を行う必要がある。これに対して、このような引用文献１のシールド取付け機構を通常の（すなわち、シールド収容用凹み部を有さない）フルフェイス型ヘルメットに適用した場合には、シールドを上昇させるときに、ヘルメット装着者が指でシールドを掴んでからこの指を上方に動かすだけで、全閉状態にあるシールドを上昇させることができる。そして、このような通常のフルフェイス型ヘルメットにおいて、本来のシールドの内側面に防曇用補助シールドを取付けた場合には、上述のように、前方に引き出す操作と上方に引き上げる操作との二段階の操作を行わなければ、補助シールドが窓孔用縁部材に引っ掛かってしまうから、誤って一段階（すなわち、上方に引き上げる）だけの操作を行ったときには、本来のシールドを円滑に上昇させることができない。また、本来のシールドを円滑に上昇させるためには、上述のような二段階の操作が必要であるから、全閉状態にあるシールドを上昇させるための操作が繁雑である。
【特許文献１】特開２００３−１８３９２６号公報
【０００５】
本発明は、特許文献１のシールド取付け機構における上述のような欠点を、比較的簡単な構成でもって、効果的に是正し得るようにしたものである。
【特許文献１】特開２００３−１８３９２６号公報
【課題を解決するための手段】
【０００６】
本発明は、頭部保護体に取付けられるシールド取付け基材と、その左側または右側の端部付近が上記シールド取付け基材に回動可能に取付けられるシールドとを備えているヘルメットのシールド取付け機構において、上記シールド取付け基材が、上記頭部保護体に固定される固定側基材と、この固定側基材に対して前後進可能に直線往復動し得るように、上記固定側基材に取付けられている可動側基材とを備え、上記シールドが、上記可動側基材に回動可能に支持され、少なくとも１個のカム面が、上記シールドまたは上記固定側基材に設けられ、少なくとも１個のカム用ならい部が、上記少なくとも１個のカム面に当接し得るように、上記固定側基材または上記シールドに設けられ、全閉状態にある上記シールドにほぼ上昇方向への力が加わったときに、上記カム用ならい部が上記カム面に相対的にならうことによって、上記シールドが上記可動側基材をともなってほぼ前方に往動するように構成されたものである。この場合、上記シールドが上記可動側基材をともなって前方に往動する距離（換言すれば、上記可動側基材が上記固定側基材に対して前方に往動する距離）は、実用性の観点から見て一般的に、１〜８ｍｍの範囲であるのが好ましく、１．５〜６ｍｍの範囲であるのがより好ましく、２〜４ｍｍの範囲であるのがさらに好ましい。
【０００７】
また、本発明においては、上記少なくとも１個のカム面が１個であり、上記少なくとも１個のカム用ならい部が１個であってよい。この場合、上記カム面が上記シールドに設けられ、上記カム用ならい部が上記固定側基材に設けられていてよい。また、本発明においては、上記少なくとも１個のカム面が２個であり、上記少なくとも１個のカム用ならい部が２個であってもよい。この場合、上記２個のカム面のうちの第１のカム面と、上記２個のカム用ならい部のうちの第２のカム用ならい部とが、上記シールドにそれぞれ設けられ、上記２個のカム面のうちの第２のカム面と、上記２個のカム用ならい部のうちの第１のカム用ならい部とが、上記固定側基材にそれぞれ設けられていてよい。
【０００８】
また、本発明においては、上記可動側基材を上記固定側基材に対してほぼ後方に向って弾性的に附勢することができる弾性附勢手段と、上記固定側基材に設けられている少なくとも１個のストッパ部と、上記可動側基材に設けられている少なくとも１個の被ストッパ部とをさらに備え、上記可動側基材が上記弾性附勢手段によって弾性的に附勢されて復動位置に保持されているときには、上記少なくとも１個の被ストッパ部が上記少なくとも１個のストッパ部に当接しているのが好ましい。さらに、本発明においても、上記シールドを上記可動側基材から取外すために操作されるシールド着脱用操作部材を、上記可動側基材に往復動可能に配設し、上記シールドを全開状態まで往回動させてから上記シールド着脱用操作部材を往動させることによって、上記シールドの取外し可能状態が得られるように構成されているのが好ましい。この場合、上記シールドを全開状態まで往回動させたときには、上記被ストッパ部が上記ストッパ部に当接しているのが好ましい。
【０００９】
また、本発明においては、上記シールドを微開状態にすることができるとともに上記シールドを全閉位置においてロック状態にもすることができる往復動可能なシールド微開用操作部材兼用のシールドロック用操作部材を、上記可動側基材に往復動可能に配設し、上記シールド微開用操作部材兼用のシールドロック用操作部材を中立位置から第１の往動方向に往動させたときには、上記シールドを微開状態にすることができ、上記シールド微開用操作部材兼用のシールドロック用操作部材を上記中立位置から第２の往動方向に往動させたときには、上記シールドをロック状態にすることができるように構成されているのが好ましい。
【発明の効果】
【００１０】
本発明によれば、防曇用補助シールドがその内側面に取付けられているシールドであっても、また、取付けられていないシールドであっても、全閉状態にあるシールドの上昇時に、シールドや防曇用補助シールドが頭部保護体の窓孔用縁部材などに引っ掛からないで上昇することができる。また、シールド取付け機構の構造が比較的簡単であるにもかかわらず、全閉状態にあるシールドを上方に引き上げる操作を行うだけでもって、シールドを前方に引き出してから上昇させることができるから、全閉位置にあるシールドを上昇させる操作が比較的簡単かつ比較的確実であり、また、誤操作の恐れがない。
【００１１】
また、請求項２に係る発明によれば、シールド取付け機構の構造がさらに簡単である。
【００１２】
また、請求項３に係る発明によれば、シールドを固定側基材によって２ヶ所で前方側に押圧することができるから、シールドの前方側への押し出しをさらに円滑に行うことができる。
【００１３】
また、請求項４に係る発明によれば、比較的簡単な構造でもって、可動側基板を固定側基板に対して比較的確実に復動位置を保持することができる。
【００１４】
また、請求項５に係る発明によれば、シールドの取外し操作を比較的簡単な構造でもって比較的簡単に行うことができる。
【００１５】
また、請求項６に係る発明によれば、全開状態にあるシールドが走行風によってあおられるのを多少とも防止することができる。そして、この請求項６に係る発明を請求項５に係る発明と組み合せた場合には、シールドの取外し操作を比較的簡単かつ比較的確実に行うことができる。
【００１６】
さらに、請求項７に係る発明によれば、比較的簡単な構造であるにもかかわらず、シールドの微開状態への操作と、シールドのロック状態への操作とを共通の操作部材によって比較的簡単に行うことができる。
【発明を実施するための最良の形態】
【００１７】
つぎに、本発明をフルフェイス型ヘルメットのシールド取付け機構に適用した第１および第２の実施例を、「Ａ、第１の実施例」および「Ｂ、第２の実施例」に項分けして、図面を参照しつつ説明する。
【００１８】
Ａ、第１の実施例
まず、本発明の第１の実施例を、「１、ヘルメット全体の概略的構成」、「２、シールド取付け機構の構成」および「３、シールド取付け機構の動作」に項分けして、図１〜図１４を参照しつつ説明する。
【００１９】
１、ヘルメット全体の概略的構成
フルフェイス型ヘルメット１は、図１に示すように、自動二輪車のライダなどのヘルメット装着者の頭部に装着されるフルフェイス型の頭部保護体２と、ヘルメット装着者の額部と顎部との間（すなわち、顔面の中央部分）に対向するように頭部保護体２の前面に形成された窓孔３を開閉し得る本来のシールド（換言すれば、メイン・シールド）４と、頭部保護体２の内側にそれぞれ取付けられた左右一対の顎掛け用バンド（図示せず）とから成っている。そして、頭部保護体２のうちのヘルメット装着者の顎部、額部などとそれぞれ対向する部分には、頭部保護体２内の換気を行うための１個または複数個のベンチレータ（図示せず）が必要に応じてそれぞれ設けられている。また、シールド４は、風防のためにヘルメット１に設けられているが、必要に応じて、透光性を特に阻害しないように着色されることにより日よけ（すなわち、バイザー）を兼用することもでき、ポリカーボネート、その他の合成樹脂などの透明または半透明の硬質材料から成っていてよい。さらに、シールド４の左右両側部付近は、頭部保護体２の外周壁を構成する外側シェル５に、左右一対のシールド取付け機構６によって回動自在にそれぞれ取付けられている。
【００２０】
シールド５の内側面には、図１および図２に示すように、ポリカーボネート、その他の合成樹脂などの透明または半透明の硬質材料から成っていてよい防曇用の補助シールド１０が、シールド４に対して僅かな間隙１７を有するようにかつ着脱自在に、取付けられることができる。この取付けのために、シールド４の内側面の左右両側部分の中央部分よりも多少下方には、図２に示すように、係合用のリング状溝をそれぞれ有する左右一対の係合ピン１６が、ねじ込みなどによって、それぞれ取付け固定されている。また、防曇用補助シールド１０の左右両端部のそれぞれのほぼ上下方向における中央部分よりも多少下方には、左右一対の舌片部１０ａがそれぞれ突設されている。さらに、これら左右一対の舌片部１０ａには、後方に向ってそれぞれ開口している左右一対の係合用スリット１８がそれぞれ形成されている。そして、左右一対の係合ピン１６をこれら左右一対の係合用スリット１８にそれぞれ嵌合させることによって、防曇用補助シールド１０がシールド４の内側面に取付けられている。また、防曇用補助シールド１０がシールド４に対して僅かな間隙１７を保持するとともに、この間隙１７を気密に保持するために、シリコンゴムなどの弾性材料から成るパッキン用突条部２９が、補助シールド１０の外側面のうちの左右一対の舌片部１０ａを除く領域の外周囲に沿って、ループ状に形成されている。
【００２１】
外側シェル５は、周知のように、ＦＲＰ、その他の合成樹脂などの強度の大きい硬質材料から成っていてよい。また、図１に示すように、頭部保護体２の窓孔３を形成するために外側シェル５に形成された窓孔７のほぼ全周囲にわたって、接着剤、両面接着テープなどによる接着などによって、周知なように断面がほぼＵ字状、ほぼＥ字状などの窓孔用縁部材８が取付けられている。そして、図１および図１０に示すように、窓孔７の下端部に沿って窓孔用縁部材８の下端部にほぼ水平に連設されている突状部８ａは、全閉位置にあるシールド４の下端部が当接するように構成されている。さらに、外側シェル５の下端部のほぼ全周囲にわたって、接着剤、両面接着テープなどによる接着などによって、断面がほぼＵ字状などの下端用縁部材９が取付けられている。なお、窓孔用縁部材８は、周知のように、合成ゴム、その他の可撓性に富んだ弾性材料から成っていてよい。また、下端用縁部材９は、周知のように、発泡塩化ビニール、合成ゴム、その他の軟質合成樹脂などの軟質材料から成っていてよい。さらに、図１において、符号１１は、ヘルメット装着者がシールド４を上方および下方に往復回動させる際に指を掛けるために、シールド４のほぼ中央部分の下端部に一体的に設けられた指掛け部である。
【００２２】
右側（ヘルメットの前面に向って左側）のシールド取付け機構６は、図９に示しかつ後述するようなシールド微開用の操作レバー兼用のシールドロック用の操作レバー１２、この操作レバー１２をガイドするための一対のガイド用の突起部１３ａ、１３ｂなど、シールド微開用の突起部１４およびシールドロック用の突起部１５が特に必要ではないために設けられていない点を除いて、左側のシールド取付け機構６とは左右対称的に構成されている。したがって、以下において、右側のシールド取付け機構６についての説明を省略して、左側のシールド取付け機構６についてのみ説明する。
【００２３】
２、シールド取付け機構の構成
左側のシールド取付け機構６は、図９に示すように、
（ａ）固定側の基材２１および可動側の基材２２を含みかつシールド４を頭部保護体２に取付けるのに用いられるシールド取付け基材２３、
（ｂ）シールド４を可動側基材２２から取外すときと、場合によっては可動側基材２２に取付けるときとにそれぞれ操作されるシールド着脱用操作レバー１９、
（ｃ）全閉位置にあるシールド４を僅かに開放するときと、全閉位置にロックするときとにそれぞれ操作されるシールド微開用操作レバー兼用のシールドロック用操作レバー１２、
（ｄ）可動側基材２２にその左側端部付近を着脱可能に取付けられることができるシールド４、
とを含んでいる。したがって、以下において、左側のシールド取付け機構６の構成を、「（１）固定側基材」、「（２）可動側基材」、「（３）シールド着脱用操作レバー」、「（４）シールド微開用操作レバー兼用のシールドロック用操作レバー」、「（５）シールド」および「（６）シールド取付け機構の組み立て」に項分けして、図１〜図１４を参照しつつ説明する。なお、固定側基材２１、可動側基材２２、操作レバー１９、１２は、ポリアセタール樹脂などの合成樹脂などからそれぞれ成っていてよい。
【００２４】
（１）固定側基材
シールド取付け基材２３の固定側基材２１は、図９および図１１に示すように、大きな中央貫通口２０を有する大よそ直角三角形状の枠構造に構成されている。そして、図１１においてはハーフトーンで示されている固定側基材２１は、大きな中央貫通口２０を有することを除いて、大よそ板状体の形状に構成されている。また、この固定側基材２１は、上下２ヶ所のねじ挿通孔（図示せず）に挿通される一対の雄ねじ部材２４ａ、２４ｂによって、図１０に示す頭部保護体２に図１１に示すように取付け固定される。なお、外側シェル５の窓孔７の後方側（すなわち、図１０における右側）には、図１０に示すように、上下一対の雌ねじ部材２５ａ、２５ｂがそれぞれ埋設固定されている。そして、一対の雄ねじ部材２４ａ、２４ｂが、固定側基材２１の上記取付け固定のために、その外側面からこれら一対の雌ねじ部材２５ａ、２５ｂのねじ孔３０ａ、３０ｂにそれぞれねじ込み固定されている。さらに、固定側基材２１は、外側シェル５の外周面の湾曲形状にほぼ一致するように、その内側面が外側面に向って多少盛り上がった湾曲形状であるのが好ましい。そして、このような湾曲形状は、可動側基材２２も同様に有しているのが好ましい。
【００２５】
固定側基材２１には、図９に示すように、上下一対の雄ねじ部材２４ａ、２４ｂ（換言すれば、これら上下一対の雄ねじ部材２４ａ、２４ｂがそれぞれ挿通される前記ねじ挿通孔）のそれぞれの上下両側の箇所において、断面がそれぞれほぼＵ字状の上下一対のガイド溝２６ａ、２６ｂおよび上下一対のガイド溝２７ａ、２７ｂがそれぞれ形成されている。この場合、それらの上側のガイド溝２６ａ、２７ａのそれぞれの深さ方向は、上方から下方にほぼ向う方向であり、それらの下側のガイド溝２６ｂ、２７ｂのそれぞれの深さ方向は、下方から上方にほぼ向う方向である。また、固定側基材２１には、上側の雄ねじ部材２４ａの前方側の箇所において、カム用ならい部として機能するカム用突起部２８が形成されている。さらに、固定側基材２１の外側面には、上下一対の雄ねじ部材２４ａ、２４ｂのそれぞれの後方側の箇所において、上下一対の反撥用コイルスプリング３１ａ、３１ｂをそれぞれ収容するための上下一対のスプリング収容用の凹部３２ａ、３２ｂがそれぞれ形成されている。そして、これら上下一対の凹部３２ａ、３２ｂの前方側の側壁部には、スプリング係合用の突起部３３ａ、３３ｂがそれぞれ形成されている。
【００２６】
固定側基材２１の外側面には、下側のスプリング収容用凹部３２ｂの後方側の箇所において、カム用ならい部として機能する前記シールド微開用突起部１４が突設されている。そして、固定側基材２１には、上下一対のガイド溝２６ａ、２６ｂの上側附近および下側附近において、上下一対の切込み３４ａ、３４ｂがそれぞれ形成されている。なお、これら上下一対の切込み３４ａ、３４ｂは、図９に示す可動側基材２２の上下一対の被ガイド用の突条部３５ａ、３５ｂが図１２に示す復動位置に復動しているときの逃げとして機能する。
【００２７】
（２）可動側基材
シールド取付け基材２３の可動側基材２２は、図９および図１２に示すように、固定側基材２１の外周囲を一回り大きくした外周囲を有していて、固定側基材２１よりも大きいほぼ板状体形状に構成されている。また、図１２においてはハーフトーンで示されている可動側基材２２には、図９に示すように、上下一対の貫通口３６ａ、３６ｂがそれぞれ形成されている。そして、上側の貫通孔３６ａには、図１２に示すように、固定側基材２１のうちの上方に有る上下一対のガイド溝２６ａ、２６ｂが形成されている高位部分３９ａが挿入されることができる。また、下側の貫通孔３６ｂには、下方にある上下一対のガイド溝２７ａ、２７ｂが形成されている高位部分３９ｂが挿入されることができる。そして、上側の貫通口３６ａの周壁部には、その上下両側の側壁部において、前記上下一対の被ガイド用の突条部３５ａ、３５ｂがそれぞれ形成されるとともに、その後方側の側壁部において、前記上側の反撥用コイルスプリング３１ａが係合するためのスプリング係合用突起部３７ａが形成されている。また、下側貫通孔３６ｂの周壁部には、その上下両側の側壁部において、上下一対の被ガイド用の突条部３８ａ、３８ｂがそれぞれ形成されるとともに、その後方側の側壁部において、下側の反撥用コイルスプリング３１ｂが係合するためのスプリング係合用突起部３７ｂが形成されている。
【００２８】
可動側基材２２には、図９に示すように、その前方側の端部のほぼ中央部分において、上方から下方に向って延在していて下端部が自由端部を構成しかつ弾性的に屈曲することができる係合用の腕部（すなわち、片持ち構造の係合用腕部）４１が形成されている。また、可動側基材２２の外側面には、係合用腕部４１の自由端部付近からこの腕部４１を通過して可動側基材２２の上端部付近まで延在しかつこの上端部付近を前方側から後方側に向ってさらに延在しているほぼ倒立Ｌ字形状の溝４２が形成されている。そして、この溝４２には、係合用腕部４１の強度を補強するためのほぼ倒立Ｌ字形状の金属製などの板ばね４３が挿入固定されている。なお、この強度補強部材としての金属製などの板ばね４３は、溝４２にぴったりと嵌合し得るように、この溝４２とほぼ同形（すなわち、ほぼ同一形状のほぼ倒立Ｌ字形状）であるとともに、溝４２の深さよりも広幅であるのが好ましい。この場合、ほぼ水平方向に延在する第１の溝部４２ａとほぼ垂直方向に延在する第２の溝部４２ｂとから、溝４２を構成するとともに、ほぼ水平方向に延在する第１のばね部４３ａとほぼ垂直方向に延在する第２のばね部４３ｂとから、板ばね４３を構成した。そして、第１および第２のばね部４３ａ、４３ｂを第１および第２の溝部４２ａ、４２ｂにそれぞれ挿入固定した。しかし、第１の溝部４２ａおよび第１のばね部４３ａをそれぞれ省略して、第２の溝部４２ｂおよび第２のばね部４３ｂのみから、溝４２および板ばね４３をそれぞれ構成することもできる。また、強度補強部材としての板ばね４３を必要に応じて金属製などのコイルスプリングに変更することもできる。そして、この場合には、溝４２を上記コイルスプリングの太さに合せて太くすることができる。また、この場合には、第１の溝部４２ａおよび第１のばね部４３ａを必要に応じてそれぞれ省略して、第２の溝部４２ｂおよび第２のばね部４３ｂのみから、溝４２およびコイルスプリング４３をそれぞれ構成するのが好ましい。
【００２９】
可動側基材２２には、図９に示すように、係合用腕部４１の後方側の箇所において、この係合用腕部４１の基端部から自由端部まで延在しているスリット４４が設けられている。そして、係合用腕部４１の後方側の側端部（換言すれば、スリット４４に臨む側端部）には、１個または複数個（図示の場合には、２個）の歯を有するクリック用歯部４５が形成されている。また、可動側基材２２には、係合用腕部４１の図９における反時計方向への往動を規制するストッパ４６が、この係合用腕部４１の自由端部に対向するようにかつスリット４４の基部に臨むように、形成されている。さらに、可動側基材２２には、ほぼ円弧状の第１のガイド部４７がスリット４４の後方側の端部に沿って形成されている。なお、この第１のガイド部４７は、可動側基材２２の内側面をスリット４４の後方側の端部に沿って凹ませることによって、スリット４４の長さとほぼ同じ長さで形成されている。そして、この第１のガイド部４７は、スリット４４に向ってひさし構造で突出している。
【００３０】
可動側基材２２の外側面には、図９に示すように、ガイド部４７の下端部付近の後方側の箇所において、スプリング収容用凹部４８が形成されている。そして、この凹部４８の前方側の側壁部には、スプリング係合用突起部４９が形成されている。また、可動側基材２２には、ガイド部４７の上端部付近の後方側の箇所において、雌ねじ部材５１を埋設固定することなどによって形成されたねじ孔５２が設けられている。さらに、可動側基材２２の内側面には、ねじ孔５２の上方においてほぼ水平に延在するように、固定側基材２１の上側腕部２１ａが挿入または嵌合される条溝部５３が形成されている。なお、符号５４は、この条溝部５３を形成するために、可動側基板２２の内側面にほぼ水平に延在するように形成されている突条部である。
【００３１】
可動側基材２２には、突条部５４の上方側に隣接して、ほぼ円弧状のガイド部５５が形成されている。なお、このガイド部５５は、その内側面を凹ませることによって、肉薄に形成されている。そして、可動側基材２２には、このガイド部５５の下方側の端部の内側面側に隣接して、ほぼ円弧状のガイド用スリット（図示せず）が形成されている。したがって、ガイド部５５は、可動側基板２２の面方向にひさし構造で突出している。また、可動側基材２２には、上側の貫通孔３６ａの後方側の箇所において、ほぼ円弧状の第２のガイド部５６が形成されている。なお、この第２のガイド部５６は、その内側面を凹ませることによって、肉薄に形成されている。そして、可動側基材２２には、この第２のガイド部５６の上方側の端部の内側面側に隣接して、ほぼ円弧状のガイド用スリット（図示せず）が形成されている。したがって、第２のガイド部５６は、可動側基材２２の面方向にひさし構造で突出している。
【００３２】
上側の貫通孔３６ａと下側の貫通孔３６ｂとの間には、図９に示すように、中間の貫通孔５７が形成されている。そして、この貫通孔５７の側壁部には、固定側基材２１のシールド微開用突起部１４の逃げのための凹み部５８が形成されている。また、上側の貫通孔３６ａと中間の貫通孔５７との間には、ほぼ円弧状の第３のガイド部６１が形成されている。なお、この第３のガイド部６１は、その内側面を凹ませることによって、肉薄に形成されている。そして、可動側基材２２には、この第３のガイド部６１の貫通孔３６ａ側の端部の内側面側に隣接して、ほぼ円弧状のガイド用スリット（図示せず）が形成されている。したがって、第３のガイド部６１は、可動側基材２２の面方向にひさし構造で突出している。なお、ほぼ円弧状の第１のガイド部４７の仮想の円の中心と、ほぼ円弧状の第２のガイド部５６の仮想の円の中心と、ほぼ円弧状の第３のガイド部６１の仮想の円の中心とは、図９に示すほぼ共通の中心点Ｃ１であるのが好ましい。
【００３３】
図９に示す可動側基材２２の外側面には、下側の貫通孔３６ｂを取り囲むように、シールド微開用操作レバー兼用のシールドロック用操作レバー１２のためのほぼ円環状の軸支部６２が突設されている。そして、この軸支部６２の外周囲には、３個のクリック用の凹み部６０ａ、６０ｂ、６０ｃがそれぞれ形成されている。また、前記一対のガイド用突起部１３ａ、１３ｂがこの軸支部６２の外周囲付近に設けられた上下一対の欠如部６３ａ、６３ｂにそれぞれ配設されている。なお、符号６４は、凹部５８の前方側に隣接している段差部であって、軸支部６２の外側に隣接して位置する低位部７５と、段差部６４を介してこの低位部７５にそれぞれ隣接している高位部７６および中位部７７との間に延在している。また、符号７２、７３のそれぞれは、固定側基材２１の斜め方向に延在する傾斜腕部２１ｂのための段差部である。そして、符号６５、６６、６７、６８、６９、７０、７１は、可動側基材２２にそれぞれ設けられている凹み部であって、上記中位部７７とほぼ同程度の高さになっている。さらに、可動側基材２２には、上側の貫通孔３６ａの前方側の側壁部を面方向に貫通するように、固定側基材２１のカム用ならい部２８が挿入される貫通孔７４が形成されている。そして、この貫通孔７４は、上側貫通孔３６ａと凹み部６５とを連通するように、可動側基材２２のほぼ面方向に沿って貫通している。
【００３４】
（３）シールド着脱用操作レバー
シールド着脱用操作部材として機能するシールド着脱用操作レバー１９は、図９および図１３に示すように、長手状のほぼ細板形状に構成されていて、その大よそ中間部分には、ねじ挿入孔が設けられている。そして、この操作レバー１９は、その外側面からこのねじ挿通孔に挿入される雄ねじ部材８１を可動側基材２２のねじ孔５２にねじ込み固定することによって、可動側基材２２に回動可能に取付け固定される。この場合、シールド着脱用操作レバー１９を可動側基材２２に回動可能に取付け固定するために、雄ねじ部材８１、操作レバー１９のねじ挿通孔および可動側基材２２のねじ孔５２を用いている。しかし、上記雄ねじ部材８１、上記ねじ挿通孔および上記ねじ孔５２に代えて、シールド着脱用操作レバー１９の内側面側に突出しかつその先端部側にねじ孔を有するとともにその基端部側に抜け止め用の頭部を有する軸支部材（図示せず）を、この操作レバー１９に設けてもよい。この場合、可動側基材２２には、上記軸支部材を回動可能に嵌合させる貫通孔が設けられる。そして、操作レバー１９の外側面側からその先端部側を上記貫通孔に挿入されて上記貫通孔に回動可能に嵌合された上記軸支部材の先端面側から、雄ねじ部材（図示せず）が抜け止め用のワッシャ（図示せず）などを介して上記軸支部材の上記ねじ孔にねじ込まれる。
【００３５】
図１３においてはハーフトーンで示されているシールド着脱用操作レバー１９は、雄ねじ部材８１よりも上方側の箇所に第１の係止用の爪部８２を有するとともに、雄ねじ部材８１よりも下方側の箇所に第２の係止用の爪部８３を有している。なお、これら第１および第２の係止用爪部８２、８３は、それらの内側面を凹ませることによってそれぞれ肉薄に構成されるとともに、それらの外側面が基端側から先端側に向ってその内側面側にそれぞれ傾斜していて厚みが次第に小さくなっているのが好ましい。したがって、第１および第２の係止用爪部８２、８３は、操作レバー１９の面方向にひさし構造でそれぞれ突出している。また、操作レバー１９には、第２の係止用爪部８３の下方付近において、第３の係止用爪部８９が形成されている。なお、この第３の係止用爪部８９は、図１３に示すように、可動側基材２２のほぼ円弧状のガイド部６１に係止されるから、可動側基材２２からの操作レバー１９の浮上りが防止される。さらに、シールド着脱用操作レバー１９の上端部には、図９および図１３に示すように、その外側面を凹ませることによって肉薄になっているほぼ円弧状の被ガイド部８４が形成されている。
【００３６】
シールド着脱用操作レバー１９の下端部には、図９に示すように、この操作レバー１９を往回動させる際に指を掛けるためのリング状の指掛け部８５が一体的に形成されている。また、シールド着脱用操作レバー１９の内側面には、雄ねじ部材８１と指掛け部８５との間において、その内側面だけではなくて前方側にも開放されているスプリング収容用の凹部８６が、可動側基材２２のスプリング収容用凹部４８に対向するように、形成されている。そして、このスプリング収容用凹部８６の後方側の側壁部には、スプリング係合用の突起部８７が形成されている。さらに、可動側基材２２のスプリング収容用凹部４８およびシールド着脱用操作レバー１９のスプリング収容用凹部８６には、図１３に示すように、共通の反撥用コイルスプリング８８が、その両端部をスプリング係合用突起部４９、８７にそれぞれ係合させた状態で、収容される。
【００３７】
（４）シールド微開用操作レバー兼用のシールドロック用操作レバー
シールド微開用操作部材兼用のシールドロック用操作部材として機能するシールド微開用操作レバー兼用のシールドロック用操作レバー１２は、図９に示すように、中央開口９３を有する回動輪部９１を有している。そして、この回動輪部９１の内周囲には、クリック用の突起部９０が形成されている。また、この回動輪部９１の下端部付近には、ほぼロッド形状の指掛け部９２が一体成形されている。さらに、回動輪部９１の外側面には、中央開口９３の内周端部において、上下一対のほぼ円弧状の被ガイド部９４ａ、９４ｂがそれぞれ設けられている。
【００３８】
回動輪部９１の上端部付近には、図９および図１３に示すように、この回動輪部９１に対して傾斜した方向においてその斜め後方でかつ斜め上方に突出している突出部９５が形成されている。そして、回動輪部９１と突出部９５との間には、シールドロック用係合部９６が係合用切込みとして形成されている。また、突出部９５のうちのシールドロック用係合部９６側とは反対側には、その係合部９６側からその反対側に向って肉薄になるよに傾斜している長細い乗り越え幇助用の傾斜面９７が形成されている。さらに、回動輪部９１の外周囲には、指掛け部９２に近接した箇所において、その外周面がカム面１００として機能するカム用突起部９８が形成されている。そして、このカム用突起部９８のうちの指掛け部９２側の端部に隣接して、クリック用の切込み９９が形成されている。
【００３９】
（５）シールド
シールド４の内側面の左側の端部付近には、図９に示すように、このシールド４の左側の先端部から中央部分側に向って、ほぼ円弧状の第１の被ガイド部１０１、ほぼ円弧状の第２の被ガイド部１０２およびほぼ円弧状の第３の被ガイド部１０３が順次配設されている。なお、これらほぼ円弧状の第１の被ガイド部１０１の仮想の円の中心と、ほぼ円弧状の第２の被ガイド部１０２の仮想の円の中心と、ほぼ円弧状の第３の被ガイド部１０３の仮想の円の中心とは、図９に示すほぼ共通の中心点Ｃ２であるのが好ましい。そして、第１の被ガイド部１０１は、中心点Ｃ２とは反対側の端部がその外側面（すなわち、シールド４の外側面側の面）において凹んでいるから、中心点Ｃ２とは反対側の方向に向ってひさし構造で突出している。
【００４０】
第２の被ガイド部１０２は、図９に示すように、その中心点Ｃ２とは反対側の端部がその外側面において凹んでいるから、中心点Ｃ２とは反対側の方向に向ってひさし構造で突出している。さらに、シールド４の内側面には、ほぼ円弧状のカム用の曲面部１０４が、第２の被ガイド部１０２と一体的に形成されている。そして、このほぼ円弧状のカム用曲面部１０４の中心点Ｃ２とは反対側の面の仮想の円の中心も、図９に示す共通の中心点Ｃ２であるのが好ましい。そして、カム用曲面部１０４の上端部は、カム用突起部１０７を構成している。また、カム用曲面部１０４の中心点Ｃ２側の面（カム用突起部１０７の外周面を含む。）には、第２の被ガイド部１０２にほぼ隣接しかつこの第２の被ガイド部１０２と背中合せになるように、カム面１０４ａが形成されている。そして、第３の被ガイド部１０３は、中心点Ｃ２側の端部がその外側面において凹んでいるから、中心点Ｃ２の方向に向ってひさし構造で突出している。さらに、シールド４の内側面には、１個または複数個（図示の場合には、６個）の歯を有していてほぼ波形状でかつ全体としてほぼ円弧状のクリック用歯部１０５が、第３の被ガイド部１０３と一体的に形成されている。そして、このほぼ円弧状のクリック用歯部１０５の仮想の円の中心も、図９に示す中心点Ｃ２であるのが好ましい。なお、上記１個または複数個の歯は、クリック用歯部１０５のうちの中心点Ｃ２とは反対側の端部に沿って全体としてほぼ円弧状に形成されている。そして、第３の被ガイド部１０３は、これらの歯と背中合せになるように、クリック用歯部１０５と一体に形成されている。さらに、シールド４の内側面には、第３の被ガイド部１０３から中心点Ｃ２とは反対側に多少離間した位置において、前記シールドロック用突起部１５が一体的に突設されている。
【００４１】
（６）シールド取付け機構の組み立て
シールド取付け機構６の組み立てに際しては、
（ア）固定側基材２１に可動側基材２２を取付けること、
（イ）この可動側基材２２にシールド着脱用操作レバー１９およびシールド微開用操作レバー兼用のシールドロック用操作レバー１２をそれぞれ取付けること、
（ウ）頭部保護体２の外側面の左右両側にこれら４個の部材２１、２２、１９、１２から成る組み合せ構造の左右一対をそれぞれ取付けること、
（エ）頭部保護体２の左右両側の可動側基材２２にシールド４の左右両側端部付近をそれぞれ取付けること、
を順次行うのが好ましい。したがって、以下において、シールド取付け機構６の組み立て操作を上記（ア）項〜（エ）項に記載の順次で説明する。なお、右側のシールド取付け機構６は、左側のシールド取付け機構６の組み立てに準じて組み立てることができるから、以下においては、左側のシールド取付け機構６の組み立て操作のみを説明する。
【００４２】
上記（ア）項に記載のように、図９に示す固定側基材２１に図９に示す可動側基材２２を取り付けるに際しては、図１２に示すように、固定側基材２１の外側面に可動側基板２２の内側面を重ね合せる。そして、固定側基材２１の上方側の上下一対のガイド溝２６ａ、２６ｂおよび下方側の上下一対のガイド溝２７ａ、２７ｂに、可動側基材２２の上方側の上下一対の被ガイド用突条部３５ａ、３５ｂおよび下方側の上下一対の被ガイド用突条部３８ａ、３８ｂをそれぞれ相対的に嵌合させる。このとき、固定側基材２１のカム用ならい部２８を可動側基材２２の貫通孔７４に挿入させる。ついで、固定側基材２１の上下一対のスプリング収容用凹部３２ａ、３２ｂに上下一対の反撥用コイルスプリング３１ａ、３１ｂをそれぞれ収容する。このとき、上側の反撥用コイルスプリング３１ａの両端部をスプリング係合用突起部３３ａ、３７ａにそれぞれ係合させる。また、下側の反撥用コイルスプリング３１ｂの両端部をスプリング係合用突起部３３ｂ、３７ｂにそれぞれ係合させる。
【００４３】
この状態においては、可動側基材２２は、図１２に示すように、上下一対の反撥用コイルスプリング３１ａ、３１ｂによってほぼ後方（すなわち、図１２におけるほぼ右側）に向って弾性的に附勢されていて、その復動位置に配されている。このために、可動側基材２２の上下一対の貫通孔３６ａ、３６ｂの被ストッパ部としての前壁部４０ａ、４０ｂは、固定側基材２１の上下一対の高位部分３９ａ、３９ｂのストッパ部としての前壁部５０ａ、５０ｂにそれぞれ当接している。
【００４４】
また、上記（イ）項に記載のように、図９に示す可動側基材２２に図９に示すシールド着脱用操作レバー１９を取り付けるに際しては、図１３に示すように、可動側基材２２の外側面に操作レバー１９の内側面を重ね合せる。そして、可動側基材２２のスプリング収容用凹部４８および操作レバー１９のスプリング収容用凹部８６に共通の反撥用コイルスプリング８８を収容する。このとき、反撥用コイルスプリング８８の両端部をスプリング係合用突起部４９、８７にそれぞれ係合させる。これとともに、操作レバー１９の被ガイド部８４を可動側基材２２のガイド部５５の内側面側に挿入する。また、操作レバー１９の第３の係止用爪部８９を可動側基材２２のガイド部６１の内側面側に挿入する。ついで、雄ねじ部材８１を操作レバー１９のねじ挿通孔に挿入させてから可動側基材２２のねじ孔５２にねじ込むことによって、操作レバー１９を可動側基材２２に回動可能に軸支する。
【００４５】
この状態においては、シールド着脱用操作レバー１９は、図１３に示すように、反撥用コイルスプリング８８によって雄ねじ部材８１を支点として図１３における反時計方向に弾性的に附勢されていて、その復回動位置に配されている。そして、操作レバー１９の被ガイド部８４は、可動側基材２２のガイド部５５の前方側の端部に当接している。なお、操作レバー１９は、その被ガイド部８４が可動側基材２２のガイド部５５の後方側の端部に当接するまで、反撥用コイルスプリング８８の弾性附勢力に逆らって往回動することができる。また、操作レバー１９が上記復回動位置にあるときには、この操作レバー１９の第１の係止用爪部８２は、図１３に示すように、可動側基材２２のガイド部５５の前方側の端部付近とガイド部４７との間隙１１１をほぼ塞いでいる。また、操作レバー１９の第２の係止用爪部８３は、可動側基材２２のガイド部６１のほぼ上方に連なる間隙１１２をほぼ塞いでいる。
【００４６】
また、上記（イ）項に記載のように、可動側基材２２にシールド微開用操作レバー兼用のシールドロック用操作レバー１２を取付けるに際しては、図１３に示すように、可動側基材２２の外側面に操作レバー１２の内側面を重ね合せる。そして、操作レバー１２の上下一対の被ガイド部９４ａ、９４ｂを可動側基材２２の上下一対のガイド用突起部１３ａ、１３ｂにそれぞれ強く押し当てることによって、これらの被ガイド部９４ａ、９４ｂをガイド用突起部１３ａ、１３ｂにそれぞれ係合させる。この状態においては、操作レバー１２は、ガイド用突起部１３ａ、１３ｂが被ガイド部９４ａ、９４ｂに沿って相対的に摺動する範囲内で、可動側基材２２の軸支部６２に対して往復回動することができる。ついで、操作レバー１２を所定の回動位置まで回動させることによって、そのクリック用突起部９０を可動側基材２２の３個のクリック用凹み部６０ａ〜６０ｃのうちの真中のクリック用凹み部（すなわち、通常使用時のための凹み部）６０ｂに嵌合させておく。
【００４７】
また、上記（ウ）項に記載のように、図９に示す４個の部材２１、２２、１９、１２から成る組み立て構造を頭部保護体２の外側面の左側に取付ける際には、図９に示す一対の雄ねじ部材２４ａ、２４ｂを固定側基材２１の上下一対のねじ挿通孔にそれぞれ挿通させてから、これら一対の雌ねじ部材２４ａ、２４ｂのための図１０に示す一対のねじ孔３０ａ、３０ｂに一対の雌ねじ部材２４ａ、２４ｂをそれぞれねじ込み固定する。
【００４８】
さらに、上記（エ）項に記載のように、可動側基材２２にシールド４の左側の端部を取付けるに際しては、予め、図１３に示すシールド着脱用操作レバー１９を、反撥用コイルスプリング８８の弾性附勢力に逆らって、雄ねじ部材８１を支点として図１３の時計方向に往回動させてもよい（図６参照）。しかし、操作レバー１９をこのように操作する必要は必ずしもなくて、シールド４の第１の被ガイド部１０１、第２の被ガイド部１０２および第３の被ガイド部１０３を、可動側基材２２の第２のガイド部５６、シールド着脱用操作レバー１９の第２の係止用爪部８３および第１の係止用爪部８２にそれぞれ当てがってから、シールド４の左側の端部付近を可動側基材２２に向って強く押し付けるだけでもよい。この場合、操作レバー１９の第２および第１の係止用爪部８３、８２がシールド４の第２および第３の被ガイド部１０２、１０３によってそれぞれ強く押し付けられるから、操作レバー１９は、上述の往回動操作の場合と同様に、反撥用コイルスプリング８８の弾性附勢力に逆らって往回動する。このために、シールド４の第１の被ガイド部１０１は、可動側基材２２の第２のガイド部５６と係合する。これとともに、シールド４の第２および第３の被ガイド部１０２、１０３は、可動側基材２２の間隙１１２、１１１にそれぞれ配される。このために、操作レバー１９は、反撥用コイルスプリング８８の弾性附勢力によって、雄ねじ部材８１を支点として図６における反時計方向に復回動する。したがって、シールド４の第２および第３の被ガイド部１０２、１０３は、操作レバー１９の第２および第１の係止用爪部８３、８２によって、浮き上り（すなわち、可動側基材２２からの離脱）をそれぞれ防止される。
【００４９】
この状態においては、シールド４は、図５に示す全開状態になっている。したがって、シールド４のカム用曲面部１０４は、固定側基材２１のカム用ならい部２８がそのカム面１０４ａの長さ方向におけるほぼ中央部分（具体的には、凹み部１０６）に当接するように、上昇している。また、シールド４のクリック用歯部１０５は、その複数個の歯のうちの最下端の歯が可動側基材２２の複数個のクリック用歯部４５のうちの最上端の歯にこの最上端の歯の上側で隣接するように、上昇している。そして、この状態においては、可動側基材２２における共通の中心点Ｃ１と、シールド４における共通の中心点Ｃ２とは、実質的に互いに同一である。
【００５０】
上述のような上記（ア）項〜（エ）項に記載の組み立て操作によって、シールド取付け機構６を頭部保護体２に取付けることができる。
【００５１】
３、シールド取付け機構の動作
シールド４は、
（ａ）図１および図２に示す全閉状態、
（ｂ）図３に示す１段階開放状態、
（ｃ）図４に示す４段階開放状態、
（ｄ）図５に示す全開状態、
（ｅ）図６に示す取外し可能状態、
（ｆ）図７に示す微開状態、
（ｇ）図８に示すロック状態、
のそれぞれを少なくとも採ることができる。したがって、以下において、「（１）全閉状態」、「（２）１段階開放状態」、「（３）４段階開放状態」、「（４）全開状態」、「（５）取外し可能状態」、「（６）微開状態」および「（７）ロック状態」に項分けして、図１〜図１４を参照しつつ説明する。
【００５２】
（１）全閉状態
シールド４は、前記２（６）項に記載のようにして可動側基材２２に取付けられた直後には、図５に示す全開状態になっている。そして、指をシールド４の指掛け部１１に掛けるなどして、その左右両端部の共通の中心点Ｃ２をそれぞれ回動中心としてこのシールド４を上方から下方に回動させると、シールド４は図２に示す全閉状態になる。なお、この全閉状態においては、シールド４の下端部が、窓孔用縁部材８の突状部８ａに接触する。また、シールド４の第１〜第３の被ガイド部１０１〜１０３が、可動側基材２２の第２、第３および第１のガイド部５６、６１、４７の一方の終端に当接するか、あるいは、当接する直前の状態になる。さらに、この全開状態から全閉状態へのシールド取付け機構６の動作は、全閉状態から全開状態への動作と実質的にちょうど逆であるから、その詳細の説明は、この項では省略する。
【００５３】
また、図２に示す全閉状態においては、固定側基材２１のカム用ならい部２８がシールド４のカム用曲面部１０４のカム面１０４ａに相対的に当接しているか、あるいは、このカム面１０４ａに相対的に近接してその上側に位置している。したがって、可動側部材２２は、図１２に示す場合と同様に、固定側部材２１に対して復動位置にある。また、シールド４のクリック用歯部１０５の最上端の歯は、可動側基材２２のクリック用歯部４５の最下端の歯にこの最下端の歯の下方側から当接しているか、あるいは、この最下端の歯に近接してその下方に位置している。
【００５４】
さらに、図２に示す全閉状態においては、シールド微開用操作レバー兼用のシールドロック用操作レバー１２は、中立位置にあるから、シールド４のシールドロック用突起部１５は、この操作レバー１２のシールドロック用係合部９６に係合してはいない。これとともに、固定側基材２１のシールド微開用突起部１４は、操作レバー１２のカム用突起部９８のカム面１００には全くまたはほとんど相対的に乗り上げておらず、また、操作レバー１２のクリック用切り込み９９に係合してもいない。そして、シールド着脱用操作レバー１９は、反撥用コイルスプリング８８の弾性附勢力によって、図１３に示す場合と同様に復動位置に保持されている。
【００５５】
（２）１段階開放状態
図２に示す全閉状態において、指掛け部１１に指を掛けるなどしてシールド４を多少持ち上げると、図３に示す１段階開放状態になる。なお、この１段階開放状態になるときには、シールド４が、共通の中心点Ｃ２を回動中心として、可動側基材２２に対して図２の時計方向に多少往回動する。したがって、シールド４の第１〜第３のガイド部１０１〜１０３も、可動側基材２２の第２、第３および第１のガイド部５６、６１、４７にそれぞれガイドされて、共通の中心点Ｃ２を回動中心として図２の時計方向にそれぞれ往回動する。そして、シールド４のクリック用歯部１０５の最上端の歯が図３に示すように可動側基材２２のクリック用歯部４５に噛み合うので、シールド４は、この１段階開放状態に正確に保持される。
【００５６】
また、図２に示す全閉状態にあるシールド４が図３に示す１段階開放状態になるときには、シールド４のカム用曲面部１０４のカム用突起部１０７が、固定側基材２１のカム用ならい部２８によって前方側（すなわち、図２の左側）に押し出されながら時計方向に回動して、このカム用ならい部２８に乗り上げる。なお、この乗り上げは、可動側基材２２がシールド４をともなって反撥用コイルスプリング３１ａ、３１ｂの弾性附勢力に逆らって固定側基材２１に対して前方側に向って直線的に往動することによって、行われる。このために、シールド４の１段階開放状態への上昇時には、このシールド４（ひいては、その内側面に取付けられている防曇用補助シールド１０）は、前方側に例えば３ｍｍ押し出される。したがって、シールド４が１段階開放状態になるときに、シールド４および防曇用補助シールド１０が、窓孔用縁部材８（特に、その上側縁部分８ｂ）に引っ掛かって円滑に上昇できないようなことはない。
【００５７】
図１４には、図２に示す全閉状態または準全閉状態における固定側基材２１とシールド４との相互の位置関係が示されている。なお、上記準全閉状態とは、図２に示す全閉状態においてはシールド４のカム用曲面部１０４が固定側基材２１のカム用突起部２８にまだ当接していないときに、全閉状態からシールド４を少し持ち上げることによってカム用曲面部１０４がカム用突起部２８に当接し始める状態を意味している。そして、この図１４において、符号Ｐ１は、図２に示す全閉状態または準全閉状態におけるカム用曲面部１０４とカム用突起部２８との相互の当接箇所を示している。また、符号Ｃ２は、シールド４における共通の中心点を示している。そして、符号θ１は、共通の中心点Ｃ２を通りかつ固定側基材２１に対する可動側基材２２の往復動方向に沿った直線Ｌ１と、共通の中心点Ｃ２と当接箇所Ｐ１とを結ぶ直線Ｌ２との成す角度を示している。さらに、符号Ｄ１は、共通の中心点Ｃ２と当接箇所Ｐ１との間の距離を示している。
【００５８】
図１４においては、角度θ１は約−５°であり、距離Ｌ１は約１６．５ｍｍである。この場合、このマイナスの値は、当接箇所Ｐ１が直線Ｌ１よりも上方にある場合の値を意味している。そして、これらの角度θ１および距離Ｄ１は、実用性の観点から見て一般的に、つぎの（ａ）項および（ｂ）項に記載の数値範囲のうちの少なくとも一方を満足しているのが好ましい。なお、これらの（ａ）項および（ｂ）項におけるかっこ内の数値範囲は、満足しているのがさらに好ましい数値範囲を示している。
（ａ）角度θ１：−２０〜５０°（−１０〜４０°）の数値範囲、および
（ｂ）距離Ｄ１：８〜８０ｍｍ（１２〜６０ｍｍ）の数値範囲。
【００５９】
（３）４段階開放状態
図３に示す１段階開放状態において、シールド４をさらに大幅に持ち上げると、図４に示す４段階開放状態になる。なお、この４段階開放状態になるときには、シールド４が、共通の中心点Ｃ２を回動中心として、可動側基材２２に対して図３の時計方向にさらに大幅に回動する。したがって、シールド４の第１〜第３のガイド部１０１〜１０３も、可動側基材２２の第２、第３および第１のガイド部５６、６１、４７にそれぞれガイドされて、共通の中心点Ｃ２を回動中心として図３の時計方向にそれぞれ回動する。そして、シールド４のクリック用歯部１０５の上から４番目の歯が、図４に示すように、可動側基材２２のクリック用歯部４５に噛み合うので、シールド４は、この４段階開放状態に正確に保持される。
【００６０】
また、図３に示す１段階開放状態にあるシールド４が図４に示す４段階開放状態になるときには、シールド４のカム用曲面部１０４のカム面１０４ａは、このカム用曲面部１０４のカム用突起部１０７から多少下方において、固定側基材２１のカム用ならい部２８に当接する。このために、カム用曲面部１０４は、後方側（すなわち、図２の右側）に少しずつ後退しながら、共通の中心点Ｃ２を回動中心として図３の時計方向に往回動する。なお、この後退は、可動側基材２２がシールド４をともなって反撥用コイルスプリング３１ａ、３１ｂの弾性附勢力によって固定側基材２１に対して後方側に向って直線的に復動することによって、行われる。このために、シールド４の１段階開放状態から４段階開放状態への上昇時には、このシールド４（ひいては、その内側面に取付けられている防曇用補助シールド１０）が、前方側から後方側に多少引っ込められる。したがって、シールド４が１段階開放状態から４段階開放状態に持ち上げられるときには、シールド４および防曇用補助シールド１０が頭部保護体２から必要以上に前方に突出するのを防止することができるから、シールド４が走行風によってあおられるのを多少とも防止することができる。この点は、次の（４）項に記載の全開状態においても、同様である。
【００６１】
（４）全開状態
図４に示す４段階開放状態において、シールド４をさらに多少持ち上げると、図５に示す全開状態（すなわち、最大開放状態）になる。なお、この全開状態になるときには、シールド４が、共通の中心点Ｃ２を回動中心として、可動側基材２２に対して図４の時計方向にさらに多少往回動する。そして、この図５に示す全開状態は、前記２（６）項において前記（エ）項に記載の操作について説明した頭部保護体２へのシールド４の取付け直後の状態と実質的に同一であるから、ここでは、その詳細な説明は省略する。なお、この図５に示す全開状態においては、固定側基材２１のカム用ならい部２８は、シールド４のカム面１０４ａの凹み部１０６に位置している。したがって、シールド４および防曇用補助シールド１０の回動中心である共通の中心点Ｃ２は、１段階開放状態から全開状態のうちで、後方側にもっとも引っ込んだ位置に保持される。そして、この状態においては、可動側基材２２の上下一対の貫通孔３６ａ、３６ｂの被ストッパ部４０ａ、４０ｂは、固定側基材２１の上下一対の高位部分３９ａ、３９ｂのストッパ部５０ａ、５０ｂにそれぞれ当接している。
【００６２】
（５）取外し可能状態
図５に示す全開状態において、シールド着脱用操作レバー１９を、反撥用コイルスプリング８８の弾性附勢力に逆らって、雄ねじ部材８１を支点として図５の時計方向に往回動させると、図６に示す取外し可能状態になる。なお、この取外し可能状態は、前記２（６）項において前記（エ）項に記載の操作について説明したシールド着脱用操作レバー１９の往回動操作の状態と実質的に同一であるから、ここでは、その詳細な説明は省略する。そして、この図６に示す取外し可能状態においては、前記２（６）項において前記（エ）項に記載の操作について説明したのとは逆の操作を行うことによって、シールド４の左側の端部を可動側基材２２から容易に取外すことができる。
【００６３】
さらに、この取外し可能状態においては、前記（４）項に記載したように、可動側基材２２の上下一対の貫通孔３６ａ、３６ｂの被ストッパ部４０ａ、４０ｂは、固定側基材２１の上下一対の高位部分３９ａ、３９ｂのストッパ部５０ａ、５０ｂにそれぞれ当接しているから、可動側基材２２は固定側基材２１に対して完全に復動している。このために、シールド４を可動側基材２２から取外す前後で、可動側基材２２が反撥用コイルスプリング３１ａ、３１ｂの弾性附勢力によって固定側基材２１に対してさらに復動する恐れはない。このことは、シールド４を可動側基材２２に取付ける前後でも、同様である。したがって、可動側基材２２に対するシールド４の取付け操作および取外し操作のいずれもを、簡単かつ確実に行うことができる。
【００６４】
（６）微開状態
図２に示す全閉状態において、シールド微開用操作レバー兼用のシールドロック用操作レバー１２を、指掛け部９２に指を掛けるなどして、第１の往回動方向（すなわち、図２の反時計方向）に往回動させると、図７に示す微開状態になる。なお、操作レバー１２が図２に示す復回動状態にあるときには、この操作レバー１２のクリック用突起部９０は、可動側基材２２のクリック用凹み部６０ｂに係合している。そして、操作レバー１２の上記往回動によって、この係合は解消される。また、この微開状態においては、固定側基材２１のシールド微開用突起部１４が、操作レバー１２のカム用突起部９８に相対的に乗り上げる。このために、操作レバー１２が可動側基材２２とともに前方側へ往動しようとするから、可動側基材２２は、操作レバー１２をともなって、反撥用コイルスプリング３１ａ、３１ｂの弾性附勢力に逆らって固定側基材２１に対して前方側へ直線的に往動する。なお、この直線的往動は、可動側基板２２の被ガイド突条部３５ａ、３５ｂ、３８ａ、３８ｂが固定側基材２１のガイド溝２６ａ、２６ｂ、２７ａ、２７ｂにそれぞれガイドされることによって、行われる。また、操作レバー１２を上記第１の往回動方向にさらに往回動させると、固定側基材２１のシールド微開用突起部１４の一端部が操作レバー１２のクリック用切込み部９９に相対的に入り込む。これとともに、操作レバー１２のクリック用突起部９０も、可動側基材２２のクリック用凹み部（すなわち、微開時のための凹み部）６０ｃに係合するから、この操作レバー１２は、この状態でクリック的に確実に保持される。
【００６５】
この図７に示す微開状態においては、シールド４も、可動側基材２２にともなわれて、前方側に往動している。このために、シールド４は、頭部保護体２（特に、その窓孔用縁部材８）から離間しているから、頭部保護体２の窓孔３からこの頭部保護体２内に空気を取り入れることができる。なお、図６に示す全開状態などの場合（すなわち、全閉状態以外の場合）にも、操作レバー１２を上記第１の往回動方向に往回動させることができる。そして、この往回動によって、シールド４は、同様に前方側に直線的に往動する。また、全閉状態にしようとしてシールド４を最下端まで下降させると、全閉状態から操作レバー１２を往回動した場合と同様の微開状態が得られる。また、この微開状態から全閉状態に戻すときには、操作レバー１２を上記第１の往回動方向とは逆の方向（すなわち、第１の復回動方向）に復回動させればよい。そして、この復回動によって、この操作レバー１２のクリック用突起部９０は、可動側基材２２のクリック用凹み部６０ｃから離脱して、クリック用凹み部６０ｂに再び係合する。
【００６６】
（７）ロック状態
図２に示す全閉状態において、シールド微開用操作レバー兼用のシールドロック用操作レバー１２を第２の往回動方向（すなわち、図２の時計方向）に往回動させると、図８に示すシールドロック状態になる。なお、操作レバー１２の上記往回動によって、この操作レバー１２のクリック用突起部９０は、可動側基材２２のクリック用凹み部６０ｂから離脱して、クリック用凹み部（すなわち、ロック時のための凹み部）６０ａに係合する。また、このシールドロック状態においては、シールド４のシールドロック用被係合部としてのシールドロック用突起部１５が、操作レバー１２のシールドロック用係合部９６に相対的に係合する。このために、シールド４は、上昇を阻止されて、この係合が解除されるまで全閉状態に強固に保持（すなわち、ロック）される。
【００６７】
図５に示す全開状態などの場合（すなわち、全閉状態以外の場合）にも、操作レバー１２を上記第２の往回動方向に往回動させることができる。そして、この状態において、シールド４を全閉状態にすると、シールド４のシールドロック用突起部１５が、操作レバー１２の乗り越え幇助用傾斜面９７に当接して突出部９５を相対的に乗り越える。このために、シールドロック用突起部１５がシールドロック用係合部９６に係合するから、上述のようなロック状態が得られる。また、このシールドロック状態からシールドロック解除状態（すなわち、図２に示す通常の全閉状態）に戻すときには、操作レバー１２を上記第２の往回動方向とは逆の方向（すなわち、第２の復回動方向）に復回動させればよい。そして、この復回動によって、この操作レバー１２のクリック用突起部９０は、可動側基材２２のクリック用凹み部６０aから離脱して、クリック用凹み部６０ｂに再び係合する。
【００６８】
Ｂ、第２の実施例
つぎに、本発明の第２の実施例を、「１、ヘルメット全体の概略的構成」、「２、シールド取付け機構の構成」および「３、シールド取付け機構の動作」に項分けして、図１５〜図２３を参照しつつ説明する。なお、図１５〜図２３に示す第２の実施例は、以下に記載する点を除いて、上述の第１の実施例と実質的に同一の構成であってよい。したがって、図１５〜図２３において、図１〜図１４と共通の部分には、同一の符号を付してその説明を必要に応じて省略する。
【００６９】
１、ヘルメット全体の概略的構成
この第２の実施例においては、図１５および図１６に示すように、防曇用補助シールド１０の左右一対の舌片部１０ａ付近には、上述の第１の実施例における左右一対の係合用スリット１８に代えて、左右一対の貫通孔１２１がそれぞれ形成されている。そして、左右一対の係合ピン１６をこれら左右一対の貫通孔１２１にそれぞれ嵌合させることによって、防曇用補助シールド１０がシールド４の内側面に取付けられている。
【００７０】
シールド４の内側面には、図１６に示すように、その上端部に沿って係合用突条部１２２が形成されている。そして、この係合用突条部１２２は、シールド４の左右方向における中心から左右両方向にそれぞれ向って窓孔７の左右両端部にそれぞれ対応する箇所を超えて左右一対のシールド取付け機構６付近まで、延在している。また、シールド４の内側面には、係合用突条部１２２の多少下方の箇所において、ほぼ水平方向に延在している下向きの段部１２３が形成されている。そして、この下向きの段部１２３は、シールド４の左右方向における中心から左右両方向にそれぞれ向って窓孔７の左右両端部にそれぞれ対応する箇所の多少手前まで、延在している。したがって、シールド４には、係合用突条部１２２と下向き段部１２３との間において、肉厚部分１２５が形成され、下向き段部１２３の左右両端部付近では、この肉厚部分１２５の厚さが次第に減少する傾斜面になっている。
【００７１】
窓孔用縁部材８は、図１６に示すように、外側シェル５の面方向においては、上述の第１の実施例の場合よりも全体的に広幅になっている。そして、窓孔用縁部材８の上側の縁部分８ｂは、外側シェル５の縁部分が嵌合される断面がほぼＵ字状の部分と、このほぼＵ字状の部分の上端の外側面からほぼ水平方向外方に突出している係合用突条部１２４とから成っている。また、窓孔用縁部材８の下側の縁部分８ｃは、外側シェル５の縁部分が嵌合される断面がほぼ逆Ｕ字状の部分と、このほぼ逆Ｕ字状の部分の下端の外側面からほぼ水平方向外方に突出している既述の突条部８ａとから成っている。さらに、窓孔用縁部材８の左側および右側の縁部分８ｄは、周知のように断面がほぼＵ字状、ほぼＥ字状などであってよく、また、上側縁部分８ｂと同様の断面形状であってもよい。
【００７２】
この第２の実施例においては、図１６に示すシールド４の全閉状態でも、防曇用補助シールド１０のパッキン用突条部２９の上側部分の中央部分が、前方から見て、窓孔用縁部材８の上側縁部分８ｂと重なっている。したがって、防曇用補助シールド１０がヘルメット装着者の視野に入りにくい。それでいて、図１６に示すように、係合用突条部１２４が窓孔用縁部材８の上側縁部分８ｂに設けられるとともに、下向き段部１２３および係合用突条部１２２がシールド４に設けられているから、補助シールド１０は肉厚部分１２５の内側面からの内方への突出量を小さくすることができる。したがって、上側縁部分８ｂとシールド４との相互の密着性が良好であるから、シールド４の内側に走行風が入り込みにくく、また、風切り音を低減させることができるとともに、雨水などによる水漏れを防止することができる。また、シールド４を昇降させるたびに、防曇用補助シールド１０の内側面が窓孔用縁部材８の上側縁部分８ｂにこすれてざらざらになるのを防止することができる。さらに、窓孔用縁部材８の上側縁部分８ｂの断面が周知のようにほぼＥ字状などの場合のように、シールド４または防曇用補助シールド１０がシールド４を昇降させるたびに上側縁部分８ｂにこすれて、この上側縁部分８ｂの自由片部がついにはめくれ返るのを防止することができる。
【００７３】
２、シールド取付け機構の構成
つぎに、左側のシールド取付け機構６の構成を、「（１）固定側基材」、「（２）可動側基材」、「（３）シールド着脱用操作レバー」、「（４）シールド微開用操作レバー兼用のシールドロック用操作レバー」、「（５）シールド」および「（６）シールド取付け機構の組み立て」に項分けして、図１５〜図２３を参照しつつ説明する。
【００７４】
（１）固定側基材
第２の実施例を示す図１５〜図２３においては、第１の実施例における雄ねじ部材２４ａ、２４ｂの図示を省略している。そして、これらの図１５〜図２３には、これらの雄ねじ部材２４ａ、２４ｂを挿通させるために、固定側基材２１にそれぞれ設けられている一対のねじ挿通孔１２６ａ、１２６ｂだけが図示されている。なお、図２２において、符号１２９は、これらの雄ねじ部材２４ａ、２４ｂの頭部がそれぞれ収容されるリング状凹み部である。また、第２の実施例においては、上下一対の切込み３４ａ、３４ｂは、必要がないから、固定側基材２１において省略されている。さらに、固定側基材２１の前方側の腕部１２７には、カム用の曲面部１２８が形成されている。なお、このカム用曲面部１２８は、前方側の腕部１２７をその前方側の側縁部に沿って内側面から外側面に向う方向に突出させることによって、構成されている。また、カム用曲面部１２８の前方側の側縁部は、カム面１２８ａを構成している。
【００７５】
（２）可動側基材
この第２の実施例においては、上述の第１の実施例において可動側基材２２に用いられているほぼ倒立Ｌ字形状の板ばね４３（第１のばね部４３ａおよび第２のばね部４３ｂを含む。）の代わりに、図２２に示すように、常温でゴム弾性を示すブロック状弾性体１３１が用いられている。したがって、この第２の実施例においては、ほぼ倒立Ｌ字形状の溝４２（第１の溝部４２ａおよび第２の溝部４２ｂを含む。）も可動側基材２２において省略されている。なお、ブロック状弾性体１３１は、天然ゴム、合成ゴムなどのエラストマーから構成することができる。そして、このブロック状弾性体１３１は、ほぼ円柱形状、ほぼ直方体形状などの任意のブロック形状であってよい。
【００７６】
可動側基材２２には、図２２に示すように、軸支部６２の多少前方で多少上方の箇所において、弾性体収容用凹部１３２が形成されている。そして、この凹部１３２の前方側の側壁部には、弾性体係合用の突起部１３３が形成されている。また、係合用腕部４１の先端部がほぼ水平方向前方に多少延在されることによって、水平腕部１３４が形成されている。そして、この水平腕部１３４の前端部には、弾性体係合用突起部１３５が形成されている。また、ブロック状弾性体１３１の前方側の一半部分を弾性体収容用凹部１３２に収容するとともに、ブロック状弾性体１３１の前後両端面にそれぞれ形成されている前後一対の係合穴（図示せず）に前後一対の弾性体係合用突起部１３３、１３５を嵌合させることによって、ブロック状弾性体１３１を可動側基材２２に取付け保持している。したがって、係合用腕部４１は、その基端部を支点とする前方側への回動をブロック状弾性体１３１によって弾性的に阻止される。なお、水平腕部１３４には、基端側から先端側にかけて、シールドロック用被係合部としてのシールドロック用凹み部１３６および逃げ用凹み部１３７がそれぞれ形成されている。なお、この第２の実施例においては、上述の第１の実施例における板ばね４３の代わりに、上述のように、ブロック状弾性体１３１が用いられている。したがって、上述の第１の実施例におけるシールド４の開閉時などにおいては、可動側基材２２の係合用腕部４１（ひいては、板ばね４３）が振動することによって、金属音（すなわち、板ばね４３の振動にともなう金属音）が生じる可能性があったが、この第２の実施例においては、このような金属音が発生する恐れはない。そして、上述の第１の実施例におけるこのような金属音は、シールド４を開閉したときにこのシールド４のクリック用歯部１０５が係合用腕部４１のクリック用歯部４５を乗り越えて両者の係合状態が変化することにより係合用腕部４１（ひいては、板ばね４３）が振動することによって、生じ易い。
【００７７】
この第２の実施例においては、図２２に示すように、上述の第１の実施例の場合に較べて、ほぼ円弧状の第２のガイド部５６が前方に多少移動した位置に設けられている。したがって、凹み部６８と凹み部６９との間に新たな凹み部１３８が設けられている。また、ほぼ円弧状のガイド部５５の多少上方にも、凹み部１３９が設けられている。また、この第２の実施例においては、上述の第１の実施例における雌ねじ部材５１およびねじ孔５２に代えて、貫通孔１４１が設けられている。さらに、この第２の実施例においては、上述の第１の実施例における貫通孔７４に代えて、欠如部１４２が形成されている。
【００７８】
（３）シールド着脱用操作レバー
この第２の実施例においては、図２２に示すように、上述の第１の実施例においてシールド着脱用操作レバー１９に用いられていた雄ねじ部材８１の代わりに、シールド着脱用操作レバー１９の内側面側に向って突出しかつその先端部側にねじ孔を有するとともにその基端部側に抜け止め用の頭部を有する軸支部材１４３が用いられている。そして、この軸支部材１４３が、可動部材２２の貫通孔１４１にその先端部側から挿入されて、この貫通孔１４１に回動可能に嵌合されている。また、軸支部材１４３の上記ねじ孔には、雄ねじ部材（図示せず）が抜け止め用のワッシャ（図示せず）を介してねじ込まれている。
【００７９】
（４）シールド微開用操作レバー兼用のシールドロック用操作レバー
この第２の実施例においては、図２２に示すように、シールド微開用操作レバー兼用のシールドロック用操作レバー１２の指掛け部９２は、その長さ方向に延在する仮想の中心線よりもほぼ下方側の部分１４７において、回動輪部９１に一体的に結合されている。そして、指掛け部９２と回動輪部９１との間には、上記中心線よりもほぼ上方側において、逃げ用のスリット１４４が形成されている。なお、この逃げ用スリット１４４には、図１６に示す全閉状態、図２０に示す微開状態および図２１に示すロック状態において、シールド４の下端部分が部分的に挿入される。
【００８０】
回動輪部９１の上端部付近には、図２２に示すように、その外周囲がカム面１００として機能するカム用突起部９８の前方側に隣接して、クリック用切込み部９９が形成されている。そして、回動輪部９１の上端部付近には、クリック用切込み部９９の前方側に隣接して、シールドロック用係合部としてのシールドロック用突出部９６が斜め上方でかつ斜め前方に延在するように突設されている。さらに、回動輪部９１の後端部付近には、カム用突起部９８に後方から対向するように、位置規制用の突出部１４５が設けられている。したがって、回動輪部９１には、この位置規制用突出部１４５とカム用突起部９８との間において、係合用切込み１４６が形成されている。
【００８１】
（５）シールド
この第２の実施例においては、図２２に示すように、ほぼ円弧状の第１の被ガイド部１０１は、上述の第１の実施例の場合とは異なって、図１６に示す全閉状態における共通の中心点Ｃ２のほぼ上方に配設されている。また、この第２の実施例においては、上述の第１の実施例において設けられているシールドロック用突起部１５の代わりに、カム用ならい部として機能するカム用突起部１４８が設けられている。そして、このカム用突起部１４８は、ほぼ半円柱状であって、その半筒形状の面が共通の中心点Ｃ２にほぼ向いている。なお、シールド４に設けられている第１のカム面１０４ａと、固定側基材２１に設けられている第１のカム用ならい部２８とによって、第１のカム機構が構成されているのに対し、固定側基材２１に設けられている第２のカム面１２８ａと、シールド４に設けられている上記第２のカム用ならい部１４８とによって、第２のカム機構が構成されている。
【００８２】
（６）シールド取付け機構の組み立て
固定側基材２１に可動側基材２２を取付ける際には、上述の第１の実施例においては、図２２に示す固定側基材２１のカム用ならい部２８を可動側基材２２の貫通孔７４に挿入させるようにしている。しかし、この第２の実施例においては、図９に示す固定側基材２１のカム用ならい部２８を可動側基材２２の欠如部１４２に挿入させるようにしている。また、上述の第１の実施例においては、シールド着脱用操作レバー１９を雄ねじ部材８１によって可動側基材２２に回動可能に軸支するようにしている。しかし、この第２の実施例においては、軸支部材１４３の先端部側に設けられているねじ孔（図示せず）に抜け止め用ワッシャ（図示せず）を介して雄ねじ部材（図示せず）をねじ込むことによって、シールド着脱用操作レバー１９を可動側基材２２に回動可能に軸支するようにしている。したがって、この操作レバー１９は、軸支部材１４３を支点として、図１６における時計方向および反時計方向にそれぞれ往回動することができる。さらに、シールド４が可動側基材２２に取付けられて全開状態になっているときには、シールド４に設けられている第２のカム用突起部１４８は、図１９に示すように、固定側基材２１に設けられている第２のカム面１２８ａからほぼ上方に離間している。
【００８３】
３、シールド取付け機構の動作
つぎに、シールド取付け機構の動作を、「（１）全閉状態」、「（２）１段階開放状態」、「（３）４段階開放状態」、「（４）全開状態」、「（５）取外し可能状態」、「（６）微開状態」および「（７）ロック状態」に項分けして、図１５〜図２３を参照しつつ説明する。
【００８４】
（１）全閉状態
この第２の実施例における図１６に示す全閉状態においては、窓孔用縁部材８の係合用突条部１２４は、シールド４の係合用突条部１２２に係合するから、両者の相互の密着状態は非常に良好である。また、シールド４の第２のカム用突起部１４８が固定側基材２１の第２のカム用曲面部１２８のカム面１２８ａに当接しているか、あるいは、このカム面１２８ａに近接してその前方側に位置している。そして、図１６に示す全閉状態においては、シールド微開用操作レバー兼用のシールドロック用操作レバー１２は、中立位置にあるから、固定側基材２１のシールド微開用突起部１４は、この操作レバー１２の係合用切込み１４６に係合してはいない。また、操作レバー１２のシールドロック用突出部９５は、可動側基材２２のシールドロック用凹み部１３６に挿入されてはいない。そして、シールド４のカム用突起部１４８は、可動側基材２２の逃げ用凹み部１３７に入り込んでいる。
【００８５】
（２）１段階開放状態
この第２の実施例においても、図１６に示す全閉状態にあるシールド４が図１７に示する１段階開放状態になるときには、シールド４のカム用曲面部１０４の第１のカム用突起部１０７が、固定側基材２１の第１のカム用ならい部２８によって前方側に押し出されながら時計方向に回動して、この第１のカム用ならい部２８に乗り上げる。これとともに、シールド４の第２のカム用突起部（換言すれば、カム用ならい部）１４８が、固定側基材２１の第２のカム用曲面部１２８によって前方側に押し出されながら時計方向に回動して、この第２のカム用ならい部１４８に乗り上げる。したがって、シールド４は、図２３に示すように、第１のカム用突起部１０７が第１のカム用ならい部２８に当接する箇所Ｐ１と、第２のカム用突起部１４８が第２のカム用曲面部１２８に当接する箇所Ｐ２との２ヶ所において、固定側基材２１よって前方側に相対的に押圧される。よって、シールド４の前方への押し出しは、上述の第１の実施例におけるよりもさらに円滑に行われる。
【００８６】
図２３には、図１６に示す全閉状態または準全閉状態における固定側基材２１とシールド４との相互の位置関係が示されている。そして、この図２３において、符号θ２は、直線Ｌ１と、共通の中心点Ｃ２と当接箇所Ｐ２とを結ぶ直線Ｌ３との成す角度を示している。さらに、符号Ｄ２は、共通の中心点Ｃ２と当接箇所Ｐ２との間の距離を示している。
【００８７】
図２３においては、角度θ１は約４°であり、距離Ｌ１は約１５、５ｍｍである。そして、これらの角度θ１および距離Ｄ１は、実用性の観点から見て一般的に、前記Ａ３（２）項に記載の（ａ）項および（ｂ）項に記載の数値範囲のうちの少なくとも一方を満足しているのが好ましく、同上のかっこ内の数値範囲のうちの少なくとも一方を満足しているのがさらに好ましい。また、図２３においては、角度θ２は約３４°であり、距離Ｌ２は約５０ｍｍである。そして、これらの角度θ２および距離Ｄ２は、実用性の観点から見て一般的に、前記Ａ３（２）項に記載の（ａ）項および（ｄ）項に記載の角度θ１および距離Ｄ１についての数値範囲のうちの少なくとも一方を満足しているのが好ましく、同上のかっこ内の数値範囲のうちの少なくとも一方を満足しているのがさらに好ましい。また、図２３において、角度（θ２−θ１）は約３０°であり、距離（Ｄ２−Ｄ１）は３４、５ｍｍである。そして、これらの角度（θ２−θ１）および距離（Ｄ２−Ｄ１）のそれぞれの値または絶対値は、実用性の観点から見て一般的に、つぎの（ａ）項および（ｂ）項に記載の数値範囲のうちの少なくとも一方を満足しているのが好ましい。なお、これらの（ａ）項および（ｂ）項におけるかっこ内の数値範囲は、満足しているのがさらに好ましい数値範囲を示している。
（ａ）角度（θ２−θ１）：５〜５５°（１５〜４５°）の数値範囲、および
（ｂ）距離（Ｄ２−Ｄ１）：５〜６５ｍｍ（２０〜５０ｍｍ）の数値範囲。
【００８８】
（３）４段階開放状態
この第２の実施例においては、図１７に示す１段階開放状態にあるシールド４が図１８に示す４段階開放状態になるときには、上述の第１に実施例の場合と同様に、シールド４のカム用曲面部１０４の第１のカム面１０４ａが、このカム用曲面部１０４の第１のカム用突起部１０７から多少下方において、固定側基材２１の第１のカム用ならい部２８に当接する。これとともに、シールド４の第２のカム用突起部１４８は、図１８に示すように、第２のカム用曲面部１２８のカム面１２８ａから次第に離間する。したがって、この離間後には、上述の第１の実施例の場合と同様に、シールド４の第１のカム面１０４ａと固定側基材２１の第１のカム用突起部２８との相互の接触状態に応じて、シールド４の前方側への押し出し位置が決定される。
【００８９】
（４）全開状態
この第２の実施例における全開状態においては、シールド４の第２のカム用突起部１４８は、図１９に示すように、固定側基材２１の第２のカム面１２８ａからほぼ上方に離間している。
【００９０】
（５）取外し可能状態
この第２の実施例においては、シールド着脱用操作レバー１９は、軸支部材１４３を支点として、図１９における時計方向に往回動する。
【００９１】
（６）微開状態
図１６に示す全閉状態において、シールド微開用操作レバー兼用のシールドロック用操作レバー１２を図１６の時計方向（すなわち、第１の往回動方向）に往回動させると、図２０に示す微開状態になる。また、この微開状態においては、個体側基材２１のシールド微開用突起部１４が、操作レバー１２のカム面１００に沿って相対的に移動して、カム用突起部９８に乗り上げる。このために、操作レバー１２が、可動側基材２２とともに、固定側基材２１に対して前方側へ直線的に往動する。また、操作レバー１２を上記第１の往回動方向にさらに往回動させると、固定側基材２１のシールド微開突起部１４の一端部が操作レバー１２のクリック用切込み９９に相対的に篏合する。
【００９２】
（７）ロック状態
図１６に示す全閉状態において、シールド微開用操作レバー兼用のシールドロック用操作レバー１２を図１６の反時計方向（すなわち、第２の往回動方向）に往回動させると、図２１に示すシールドロック状態になる。そして、操作レバー１２の上記往回動によって、この操作レバー１２のシールドロック用突起部９５は、可動側基材２２のシールドロック用凹み部１３６に挿入されて、両者が係合状態になる。このために、可動側部材２２の係合用腕部４１は、その基端部を支点とする図２１の時計方向への往回動を阻止されて、図２１に示す復回動位置に強固に保持される。したがって、シールド４のクリック用歯部１０５は、この係合用腕部４１のクリック用歯部４５によって、共通の中心点Ｃ２を支点とする図２１の時計方向への往回動を阻止されるから、シールド４は、上記係合が解除されるまで、全閉状態に保持（すなわち、ロック）される。また、操作レバー１２の上記往回動によって、固定側基材２１のカム用ならい部（換言すれば、シールド微開用突起部）１４が、操作レバー１２の係合用切込み１４６に相対的に入り込んで、この係合用切込み１４６と係合する。このとき、操作レバー１２（ひいては、可動側基材２２およびシールド４）が多少前方に押し出されていても、カム用ならい部１４が操作レバー１２の位置規制用突出部１４５の傾斜面（すなわち、係合用切込み１４６側の傾斜面）１４５ａに相対的に当接してから、係合用切込み１４６に相対的に入り込む。そして、上記当接によって、操作レバー１２（ひいては、可動側基材２２およびシールド４）が後方側に引き込まれるから、シールド４が窓孔用縁部材８に良好に密着する。なお、このようなシールドロック状態は、図１９に示す全開状態などの場合（すなわち、全閉状態以外の場合）にも、同様に達成されることができる。
【００９３】
以上において、本発明の第１および第２の実施例について詳細に説明したが、本発明は、これら第１および第２の実施例に限定されるものではなく、特許請求の範囲に記載された発明の趣旨に基づいて各種の変更および修正が可能である。
【００９４】
例えば、上述の第１および第２の実施例においては、フルフェイス型ヘルメットに本発明を適用したが、顎覆い部が上昇可能なジェット型兼用のフルフェイス型ヘルメット、ジェット型ヘルメット、セミジェット型ヘルメットなどにも、本発明を適用することができる。
【００９５】
また、上述の第１の実施例においては、カム面１０４ａおよびカム用ならい部２８を１個ずつ設け、上述の第２の実施例においては、カム面１０４ａ、１２８ａおよびカム用ならい部２８、１４８をそれぞれ２個ずつ設けた。しかし、カム面およびカム用ならい部はそれぞれ３個以上であってもよい。
【００９６】
また、上述の第１の実施例においては、カム面１０４ａをシールド４に設けるとともに、このカム面１０４ａに対向するカム用ならい部２８を固定側基材２１に設けた。しかし、カム面を固定側基材２１に設けるとともに、このカム面に対向するカム用ならい部をシールド４に設けてもよい。
【００９７】
また、上述の第２の実施例においては、第１のカム面１０４ａおよび第２のカム用ならい部１４８をシールド４にそれぞれ設けるとともに、これら第１のカム面１０４ａおよび第２のカム用ならい部１４８にそれぞれ対向する第１のカム用ならい部２８および第２のカム面１２８ａを固定側基材２１にそれぞれ設けた。しかし、第１および第２のカム面のいずれもをシールド４および固定側基材２１のうちのいずれか一方にそれぞれ設けるとともに、これら第１および第２のカム面にそれぞれ対向する第１および第２のカム用ならい部のいずれもを固定側基材２１およびシールド４のうちのいずれか他方にそれぞれ設けてもよい。
【００９８】
また、上述の第１および第２の実施例においては、第１および第２のストッパ部５０ａ、５０ｂを固定側基材２１にそれぞれ設けるとともに、上記第１および第２のストッパ部５０ａ、５０ｂにそれぞれ対向する第１および第２の被ストッパ部４０ａ、４０ｂを可動側基材２２にそれぞれ設けた。しかし、１個または３個以上のストッパ部を固定側基材２１に設けるとともに、これらのストッパ部にそれぞれ対向する１個または３個以上の被ストッパ部を可動側基材２２に設けてもよい。
【００９９】
また、上述の第１および第２の実施例においては、弾性附勢手段または弾性附勢部材として反撥用コイルスプリング３１ａ、３１ｂ、８８を用いた。しかし、これら３個の弾性附勢手段３１ａ、３１ｂ、８８のうちの１個、２個または３個全部は、牽引用コイルスプリングであってもよく、また、コイルスプリング以外のリーフスプリングなどの別のスプリングなどであってもよい。
【０１００】
さらに、上述の第１および第２の実施例においては、シールド着脱用操作部材１９と、シールド微開用操作部材兼用のシールドロック用操作部材１２とは、往復回動可能な操作レバーによってそれぞれ構成している。しかし、これらの操作部材１９、１２は、直線往復動可能な部材によってそれぞれ構成されることもでき、また、往復回動または直線往復動以外の往復動が可能な部材によってもそれぞれ構成されることもできる。
【図面の簡単な説明】
【０１０１】
【図１】本発明をフルフェイス型ヘルメットのシールド取付け機構に適用した第１の実施例におけるシールドの全閉状態でのヘルメット全体の概略的な左側面図である。（実施例１）
【図２】図１のシールド取付け機構を示すヘルメットの要部の拡大左側面図である。（実施例１）
【図３】シールドの１段階開放状態での図２と同様の拡大左側面図である。（実施例１）
【図４】シールドの４段階開放状態での図２と同様の拡大左側面図である。（実施例１）
【図５】シールドの全開状態での図２と同様の拡大左側面図である。（実施例１）
【図６】シールド着脱用操作レバーを往回動操作した状態での図５と同様の拡大左側面図である。（実施例１）
【図７】シールド微開用操作レバー兼用のシールドロック用操作レバーを微開方向に往回動操作した状態での図２と同様の拡大左側面図である。（実施例１）
【図８】シールド微開用操作レバー兼用のシールドロック用操作レバーを図７の場合とは逆のロック方向に往回動操作した状態での図２と同様の拡大左側面図である。（実施例１）
【図９】図１のシールド取付け機構の分解正面図である。（実施例１）
【図１０】シールド取付け機構が頭部保護体に組み込まれる以前の状態でのヘルメットの図２と同様の拡大左側面図である。（実施例１）
【図１１】シールド取付け機構のうちの固定側基材が頭部保護体に組み込まれた状態でのヘルメットの図１０と同様の拡大左側面図である。（実施例１）
【図１２】シールド取付け機構のうちの固定側基材および可動側基材が頭部保護体に組み込まれた状態でのヘルメットの図１０と同様の拡大左側面図である。（実施例１）
【図１３】シールドを取外した状態でのヘルメットの図２と同様の拡大左側面図である。（実施例１）
【図１４】図２に示す全閉状態における固定側基材とシールドとの相互の位置関係を示すヘルメットの要部の拡大側面図である。（実施例１）
【図１５】本発明をフルフェイス型ヘルメットのシールド取付け機構に適用した第２の実施例におけるシールドの全閉状態でのヘルメット全体の概略的な左側面図である。（実施例２）
【図１６】図１５のシールド取付け機構を示すヘルメットの要部の拡大左側面図である。（実施例２）
【図１７】シールドの１段階開放状態での図１６と同様の拡大左側面図である。（実施例２）
【図１８】シールドの４段階開放状態での図１６と同様の拡大左側面図である。（実施例２）
【図１９】シールドの全開状態での図１６と同様の拡大左側面図である。（実施例２）
【図２０】シールド微開用操作レバー兼用のシールドロック用操作レバーを微開方向に往回動操作した状態での図１６と同様の拡大左側面図である。（実施例２）
【図２１】シールド微開用操作レバー兼用のシールドロック用操作レバーを図２０の場合とは逆のロック方向に往回動操作した状態での図１６と同様の拡大左側面図である。（実施例２）
【図２２】図１５のシールド取付け機構の分解正面図である。（実施例２）
【図２３】図１６に示す全閉状態における固定側基材とシールドとの相互の位置関係を示すヘルメットの要部の拡大側面図である。（実施例２）
【符号の説明】
【０１０２】
１        フルフェイス型ヘルメット
２        フルフェイス型頭部保護体
４        シールド
６        シールド取付け機構
１２      シールド微開用操作レバー兼用のシールドロック用操作レバー（シールド微開用操作部材兼用のシールドロック用操作部材）
１９      シールド着脱用操作レバー（シールド着脱用操作部材）
２１      固定側基材
２２      可動側基材
２３      シールド取付け基材
２８      カム用突起部（第１のカム用ならい部）
３１ａ    反撥用コイルスプリング（弾性附勢手段）
３１ｂ    反撥用コイルスプリング（弾性附勢手段）
４０ａ    被ストッパ部
４０ｂ    被ストッパ部
５０ａ    ストッパ部
５０ｂ    ストッパ部
１０４ａ  カム面（第１のカム面）
１２８ａ  カム面（第２のカム面）
１４８    カム用突起部（第２のカム用ならい部）
【図１】
2007332524.tif 000003
【図２】
2007332524.tif 000004
【図３】
2007332524.tif 000005
【図４】
2007332524.tif 000006
【図５】
2007332524.tif 000007
【図６】
2007332524.tif 000008
【図７】
2007332524.tif 000009
【図８】
2007332524.tif 000010
【図９】
2007332524.tif 000011
【図１０】
2007332524.tif 000012
【図１１】
2007332524.tif 000013
【図１２】
2007332524.tif 000014
【図１３】
2007332524.tif 000015
【図１４】
2007332524.tif 000016
【図１５】
2007332524.tif 000017
【図１６】
2007332524.tif 000018
【図１７】
2007332524.tif 000019
【図１８】
2007332524.tif 000020
【図１９】
2007332524.tif 000021
【図２０】
2007332524.tif 000022
【図２１】
2007332524.tif 000023
【図２２】
2007332524.tif 000024
【図２３】
2007332524.tif 000025